(57)【特許請求の範囲】
【請求項１】
ピックアップ及び制御器を含む再生装置により少なくとも１枚の静止画像の再生方法を実行するためのコンピュータ実行可能プログラムを有する記録媒体において、前記方法は、
前記制御器により制御される前記ピックアップが、少なくとも一つの再生一覧ファイルを再生するステップを含み、
前記再生一覧ファイルは、少なくとも一つの再生アイテム、少なくとも一つのサブ再生アイテム及びマーク情報を含み、
前記再生アイテムは、少なくとも１枚の静止画像を再生するための第１のストリームファイルのイン・ポイント及びアウト・ポイントを示し、
前記サブ再生アイテムはオーディオデータを再生するための第２のストリームファイルのイン・ポイント及びアウト・ポイントを示し、
前記マーク情報は、前記少なくとも１枚の静止画像についての再生アイテムに位置する少なくとも一つのマークを含み、
前記マーク情報は、前記マークが関連する再生アイテムを示す再生アイテムインジケータをさらに含み、
前記再生するステップは、前記再生アイテム及び前記サブ再生アイテムにより提供される前記イン・ポイント及び前記アウト・ポイント、並びに前記少なくとも一つのマーク及び前記再生アイテムインジケータに従って前記第１のストリームファイル及び前記第２のストリームファイルを再生することを特徴とする記録媒体。
【請求項２】
前記マーク情報は、前記少なくとも一つのマークの型を示すマーク型インジケータをさらに含むことを特徴とする請求項１に記載の記録媒体。
【請求項３】
前記マーク情報は、前記少なくとも１枚の静止画像の時間アドレスを示すタイムスタンプをさらに含むことを特徴とする請求項１に記載の記録媒体。
【請求項４】
前記マーク情報は前記少なくとも一つのマークの番号を示す番号インジケータをさらに含むことを特徴とする請求項１に記載の記録媒体。
【請求項５】
前記第１のストリームファイル及び前記第２のストリームファイルを格納するデータエリアをさらに含み、
前記第１のストリームファイルはプレゼンテーションデータを含み、前記プレゼンテーションデータは少なくとも１枚の静止画像ユニットに分割されており、前記少なくとも１枚の静止画像ユニットの各々が少なくとも１枚の静止画像及び関連するデータを含むことを特徴とする請求項１に記載の記録媒体。
【請求項６】
記録媒体上に少なくとも１枚の静止画像の再生をマネジメントするためのデータ構造を記録する方法において、
前記記録媒体上に少なくとも一つの再生一覧ファイルを記録する段階を含み、
前記再生一覧ファイルは、少なくとも一つの再生アイテム、少なくとも一つのサブ再生アイテム及びマーク情報を含み、
前記再生アイテムは、少なくとも１枚の静止画像を再生するための第１のストリームファイルのイン・ポイント及びアウト・ポイントを示し、
前記サブ再生アイテムは、オーディオデータを再生するための第２のストリームファイルのイン・ポイント及びアウト・ポイントを示し、
前記マーク情報は、前記少なくとも１枚の静止画像についての再生アイテムに位置する少なくとも一つのマークを含み、
前記マーク情報は、前記マークが関連する再生アイテムを示す再生アイテムインジケータを含むことを特徴とする記録方法。
【請求項７】
前記第１のストリームファイル及び前記第２のストリームファイルを前記記録媒体に記録する段階をさらに含み、
前記第１のストリームファイルはプレゼンテーションデータを含み、
前記プレゼンテーションデータは少なくとも１枚の静止画像ユニットに分割されており、
前記少なくとも１枚の静止画像ユニットの各々は、少なくとも１枚の静止画像及び関連するデータを含むことを特徴とする請求項６に記載の記録方法。
【請求項８】
前記マーク情報は、前記少なくとも一つのマークの型を示すマーク型インジケータをさらに含むことを特徴とする請求項６に記載の記録方法。
【請求項９】
前記マーク情報は、前記少なくとも１枚の静止画像の時間アドレスを示すタイムスタンプをさらに含むことを特徴とする請求項６に記載の記録方法。
【請求項１０】
前記マーク情報は前記少なくとも一つのマークの番号を示す番号インジケータをさらに含むことを特徴とする請求項６に記載の記録方法。
【請求項１１】
記録媒体上に記録された少なくとも１枚の静止画像の再生をマネジメントするためのデータ構造を再生する方法において、
前記記録媒体から少なくとも一つの再生一覧ファイルを再生する段階を含み、
前記再生一覧ファイルは、少なくとも一つの再生アイテム、少なくとも一つのサブ再生アイテム及びマーク情報を含み、
前記再生アイテムは、少なくとも１枚の静止画像を再生するための第１のストリームファイルのイン・ポイント及びアウト・ポイントを示し、
前記サブ再生アイテムは、オーディオデータを再生するための第２のストリームファイルのイン・ポイント及びアウト・ポイントを示し、
前記マーク情報は、前記少なくとも１枚の静止画像についての再生アイテムに位置する少なくとも一つのマークを含むことを特徴とする再生方法。
【請求項１２】
前記記録媒体から前記第１のストリームファイル及び前記第２のストリームファイルを再生する段階をさらに含み、
前記第１のストリームファイルはプレゼンテーションデータを含み、
前記プレゼンテーションデータは少なくとも１枚の静止画像ユニットに分割されており、
前記少なくとも１枚の静止画像ユニットの各々は、少なくとも１枚の静止画像及び関連するデータを含むことを特徴とする請求項１１に記載の再生方法。
【請求項１３】
前記マーク情報は、
前記少なくとも一つのマークの型を示すマーク型インジケータと、
前記少なくとも１枚の静止画像の時間アドレスを示すタイムスタンプと、
前記少なくとも一つのマークの番号を示す番号インジケータと
をさらに含むことを特徴とする請求項１１に記載の再生方法。
【請求項１４】
前記記録媒体は読取り専用記録媒体であることを特徴とする請求項１１に記載の再生方法。
【請求項１５】
前記記録媒体は追記型記録媒体であることを特徴とする請求項１１に記載の再生方法。
【請求項１６】
記録媒体上に少なくとも１枚の静止画像の再生をマネジメントするためのデータ構造を記録するための装置において、
前記記録媒体上にデータを記録するために構成されたピックアップと、
前記ピックアップを制御して、前記記録媒体上に少なくとも一つの再生一覧ファイルを記録するために構成された制御器と、を含み、
前記再生一覧ファイルは、少なくとも一つの再生アイテム、少なくとも一つのサブ再生アイテム及びマーク情報を含み、
前記再生アイテムは、少なくとも１枚の静止画像を再生するための第１のストリームファイルのイン・ポイント及びアウト・ポイントを示し、
前記サブ再生アイテムは、オーディオデータを再生するための第２のストリームファイルのイン・ポイント及びアウト・ポイントを示し、
前記マーク情報は、前記少なくとも１枚の静止画像についての再生アイテムに位置する少なくとも一つのマークを含み、
前記マーク情報は、前記マークが関連する再生アイテムを示す再生アイテムインジケータをさらに含むことを特徴とする記録装置。
【請求項１７】
前記制御器は、前記第１のストリームファイル及び前記第２のストリームファイルを前記記録媒体に記録するために前記ピックアップを制御するために構成され、
前記第１のストリームファイルはプレゼンテーションデータを含み、
前記プレゼンテーションデータは少なくとも１枚の静止画像ユニットに分割されており、
前記少なくとも１枚の静止画像ユニットの各々は、前記少なくとも１枚の静止画像及び関連するデータを含むことを特徴とする請求項１６に記載の記録装置。
【請求項１８】
前記マーク情報は、前記少なくとも一つのマークの型を示すマーク型インジケータをさらに含むことを特徴とする請求項１６に記載の記録装置。
【請求項１９】
前記マーク情報は、前記少なくとも１枚の静止画像の時間アドレスを示すタイムスタンプをさらに含むことを特徴とする請求項１６に記載の記録装置。
【請求項２０】
前記マーク情報は前記少なくとも一つのマークの番号を示す番号インジケータをさらに含むことを特徴とする請求項１６に記載の記録装置。
【請求項２１】
記録媒体上に記録された少なくとも１枚の静止画像の再生をマネジメントするためのデータ構造を再生するための装置において、
前記記録媒体上に記録されたデータを再生するために構成されたピックアップと、
前記ピックアップを制御して、前記記録媒体上に少なくとも一つの再生一覧ファイルを再生するために構成された制御器と、を含み、
前記再生一覧ファイルは、少なくとも一つの再生アイテム、少なくとも一つのサブ再生アイテム及びマーク情報を含み、
前記再生アイテムは、少なくとも１枚の静止画像を再生するための第１のストリームファイルのイン・ポイント及びアウト・ポイントを示し、
前記サブ再生アイテムは、オーディオデータを再生するための第２のストリームファイルのイン・ポイント及びアウト・ポイントを示し、
前記マーク情報は、前記少なくとも１枚の静止画像についての再生アイテムに位置する少なくとも一つのマークを含み、
前記マーク情報は、前記マークが関連する再生アイテムを示す再生アイテムインジケータをさらに含むことを特徴とする再生装置。
【請求項２２】
前記制御器は、前記記録媒体から前記第１のストリームファイル及び前記第２のストリームファイルを再生するために前記ピックアップを制御するために構成され、
前記第１のストリームファイルはプレゼンテーションデータを含み、
前記プレゼンテーションデータは少なくとも１枚の静止画像ユニットに分割されており、
前記少なくとも１枚の静止画像ユニットの各々は、少なくとも１枚の静止画像及び関連するデータを含むことを特徴とする請求項２１に記載の再生装置。
【請求項２３】
前記マーク情報は、
前記少なくとも一つのマークの型を示すマーク型インジケータと、
前記少なくとも１枚の静止画像の時間アドレスを示すタイムスタンプと、
前記少なくとも一つのマークの番号を示す番号インジケータと
をさらに含むことを特徴とする請求項２１に記載の再生装置。
【請求項２４】
前記記録媒体は読取り専用記録媒体であることを特徴とする請求項２１に記載の再生装置。
【請求項２５】
前記記録媒体は追記型記録媒体であることを特徴とする請求項２１に記載の再生装置。
【発明の詳細な説明】
【技術分野】
【０００１】
本発明は、記録された少なくとも静止画像の再生をマネジメントするためのデータ構造を有する記録媒体、及び記録再生方法及び装置に関する。
【背景技術】
【０００２】
高品質のビデオ及びオーディオデータを大容量として記録しうる新規な高密度の読取り専用及び書換え可能型光ディスクの標準の進歩には目を見張るものがあり、これにより、新規な光ディスク関連の製品は、まもなく商用化レベルに至ることが期待されている。書換え可能なブルーレイディスク（Ｂｌｕｅ−ｒａｙ Ｄｉｓｃ Ｒｅｗｒｉｔａｂｌｅ；以下、ＢＤ−ＲＥ）及びブルーレイディスクＲＯＭ（ＢＤ−ＲＯＭ）は、このような新規な光ディスクの例である。
【０００３】
ＢＤ−ＲＥの標準が公開されているとはいえ、ブルーレイＲＯＭ（ＢＤ−ＲＯＭ）などの高密度の読取り専用光ディスクの標準は依然として準備中にある。結果的に、ＢＤ−ＲＯＭなどの高密度の読取り専用光ディスク上に記録された静止画像の再生をマネジメントするための有効なデータ構造は、未だ利用可能なレベルには至っていないのが現状である。
【発明の開示】
【発明が解決しようとする課題】
【０００４】
本発明は上記の問題点を解決するためのもので、その目的は、記録された少なくとも静止画像の再生をマネジメントするためのデータ構造を有する記録媒体、及び記録再生方法及び装置を提供することにある。
【課題を解決するための手段】
【０００５】
上記目的を達成するために、本発明に係る記録媒体は、ピックアップ及び制御器を含む再生装置により少なくとも１枚の静止画像の再生方法を実行するためのコンピュータ実行可能プログラムを有する記録媒体において、前記方法は、前記制御器により制御される前記ピックアップが、少なくとも一つの再生一覧ファイルを再生するステップを含み、前記再生一覧ファイルは、少なくとも一つの再生アイテム、少なくとも一つのサブ再生アイテム及びマーク情報を含み、前記再生アイテムは、少なくとも１枚の静止画像を再生するための第１のストリームファイルのイン・ポイント及びアウト・ポイントを示し、前記サブ再生アイテムはオーディオデータを再生するための第２のストリームファイルのイン・ポイント及びアウト・ポイントを示し、前記マーク情報は、前記少なくとも１枚の静止画像についての再生アイテムに位置する少なくとも一つのマークを含み、前記マーク情報は、前記マークが関連する再生アイテムを示す再生アイテムインジケータをさらに含み、前記再生するステップは、前記再生アイテム及び前記サブ再生アイテムにより提供される前記イン・ポイント及び前記アウト・ポイント、並びに前記少なくとも一つのマーク及び前記再生アイテムインジケータに従って前記第１のストリームファイル及び前記第２のストリームファイルを再生する。
【０００６】
ここで、前記マーク情報は、前記少なくとも一つのマークの型を示すマーク型インジケータをさらに含むものとすることができる。
【０００７】
また、前記マーク情報は、前記少なくとも１枚の静止画像の時間アドレスを示すタイムスタンプをさらに含むものとすることができる。
【０００８】
また、前記マーク情報は前記少なくとも一つのマークの番号を示す番号インジケータをさらに含むものとすることができる。
【０００９】
また、前記第１のストリームファイル及び前記第２のストリームファイルを格納するデータエリアをさらに含み、前記第１のストリームファイルはプレゼンテーションデータを含み、前記プレゼンテーションデータは少なくとも１枚の静止画像ユニットに分割されており、前記少なくとも１枚の静止画像ユニットの各々が少なくとも１枚の静止画像及び関連するデータを含むものとすることができる。
【００１０】
本発明の他の態様によれば、本発明に係る記録方法は、記録媒体上に少なくとも１枚の静止画像の再生をマネジメントするためのデータ構造を記録する方法において、前記記録媒体上に少なくとも一つの再生一覧ファイルを記録する段階を含み、前記再生一覧ファイルは、少なくとも一つの再生アイテム、少なくとも一つのサブ再生アイテム及びマーク情報を含み、前記再生アイテムは、少なくとも１枚の静止画像を再生するための第１のストリームファイルのイン・ポイント及びアウト・ポイントを示し、前記サブ再生アイテムは、オーディオデータを再生するための第２のストリームファイルのイン・ポイント及びアウト・ポイントを示し、前記マーク情報は、前記少なくとも１枚の静止画像についての再生アイテムに位置する少なくとも一つのマークを含み、前記マーク情報は、前記マークが関連する再生アイテムを示す再生アイテムインジケータを含む。
本発明の他の態様によれば、本発明に係る再生方法は、記録媒体上に記録された少なくとも１枚の静止画像の再生をマネジメントするためのデータ構造を再生する方法において、前記記録媒体から少なくとも一つの再生一覧ファイルを再生する段階を含み、前記再生一覧ファイルは、少なくとも一つの再生アイテム、少なくとも一つのサブ再生アイテム及びマーク情報を含み、前記再生アイテムは、少なくとも１枚の静止画像を再生するための第１のストリームファイルのイン・ポイント及びアウト・ポイントを示し、前記サブ再生アイテムは、オーディオデータを再生するための第２のストリームファイルのイン・ポイント及びアウト・ポイントを示し、前記マーク情報は、前記少なくとも１枚の静止画像についての再生アイテムに位置する少なくとも一つのマークを含む。
本発明の他の態様によれば、本発明に係る記録装置は、記録媒体上に少なくとも１枚の静止画像の再生をマネジメントするためのデータ構造を記録するための装置において、前記記録媒体上にデータを記録するために構成されたピックアップと、前記ピックアップを制御して、前記記録媒体上に少なくとも一つの再生一覧ファイルを記録するために構成された制御器と、を含み、前記再生一覧ファイルは、少なくとも一つの再生アイテム、少なくとも一つのサブ再生アイテム及びマーク情報を含み、前記再生アイテムは、少なくとも１枚の静止画像を再生するための第１のストリームファイルのイン・ポイント及びアウト・ポイントを示し、前記サブ再生アイテムは、オーディオデータを再生するための第２のストリームファイルのイン・ポイント及びアウト・ポイントを示し、前記マーク情報は、前記少なくとも１枚の静止画像についての再生アイテムに位置する少なくとも一つのマークを含み、前記マーク情報は、前記マークが関連する再生アイテムを示す再生アイテムインジケータをさらに含む。
本発明の他の態様によれば、本発明に係る再生装置は、記録媒体上に記録された少なくとも１枚の静止画像の再生をマネジメントするためのデータ構造を再生するための装置において、前記記録媒体上に記録されたデータを再生するために構成されたピックアップと、前記ピックアップを制御して、前記記録媒体上に少なくとも一つの再生一覧ファイルを再生するために構成された制御器と、を含み、前記再生一覧ファイルは、少なくとも一つの再生アイテム、少なくとも一つのサブ再生アイテム及びマーク情報を含み、前記再生アイテムは、少なくとも１枚の静止画像を再生するための第１のストリームファイルのイン・ポイント及びアウト・ポイントを示し、前記サブ再生アイテムは、オーディオデータを再生するための第２のストリームファイルのイン・ポイント及びアウト・ポイントを示し、前記マーク情報は、前記少なくとも１枚の静止画像についての再生アイテムに位置する少なくとも一つのマークを含み、前記マーク情報は、前記マークが関連する再生アイテムを示す再生アイテムインジケータをさらに含む。
【発明の効果】
【００１１】
本発明は、高密度記録媒体（例えば、ＢＤ−ＲＯＭなどの高密度光ディスク）上に記録された静止画像をマネジメントするためのデータ構造を有する記録媒体を提供する。例えば、データ構造は、静止画像及び場合によってはオーディオデータを各種の方式により表示可能にする。
【００１２】
本発明に係る高密度記録媒体についての静止画像をマネジメントする方法は、各種の静止制御動作を提供し、連関するサブタイトルまたはグラフィック映像と共に静止画像の効率的なリンク再生を可能にする。
【００１３】
以上の説明から明らかなように、本発明は、記録媒体上に記録された静止画像をマネジメントするための高密度記録媒体上にデータ構造を記録する方法及び装置を提供する。
【００１４】
上述した解説は、静止画像の再生をマネジメントするためのデータ構造に基づく高密度記録媒体上に記録され、且つ、高密度記録媒体上に記録された静止画像を再生するための方法及び装置をさらに提供する。
【００１５】
本発明が限られた数の実施の形態をもって説明されたとしても、この技術分野における当業者にとっては、数多くの変形及び修正が可能であるということが理解できるであろう。例えば、いくつかの場合においてブルーレイＲＯＭについて説明されたとしても、本発明は、光ディスクのこのような標準または光ディスクに何ら制限されるものではない。すなわち、このような修正及び変形は本発明の精神及び範囲内にあると言える。
【発明を実施するための最良の形態】
【００１６】
以下、本発明への完全な理解のために、添付した図面に基づき、本発明の例示的な実施の形態を詳述する。
【００１７】
例えば、本発明に係るブルーレイＲＯＭ（ＢＤ−ＲＯＭ）、ＢＤ−ＲＥなどの高密度光ディスクのような高密度記録媒体は、図１に示すように、ビデオ及びオーディオデータの再生をマネジメントするためのファイルまたはデータ構造を有することができる。図１に示すように、本発明に係るデータ構造の一部の態様は公知のＢＤ−ＲＥ標準と同様であり、これらの特性が検討されるとしても、詳細な内容については解説されない。
【００１８】
図１に示すように、ルートディレクトリは、少なくとも一つのＢＤディレクトリを含む。ＢＤディレクトリは、通常のファイル（図示せず）、再生一覧ファイル（例えば、＊．ｍｐｌｓ）が格納されるＰＬＡＹＬＩＳＴディレクトリ、クリップ情報ファイル（＊．ｃｌｐｉ）が格納されるＣＬＩＰＩＮＦディレクトリ、及びクリップ情報ファイルに対応するＭＰＥＧ２にフォーマットされたＡ／Ｖストリームクリップファイル（＊．ｍ２ｔｓ）が格納されるストリームディレクトリを含む。
【００１９】
ストリームディレクトリは、クリップストリームファイルまたは単純にクリップファイルと呼ばれるＭＰＥＧ２にフォーマットされたＡ／Ｖストリームファイルを含む。Ａ／Ｖストリームは、ビデオ及びオーディオデータのソースパケットを含む。例えば、ビデオデータのソースパケットは、ヘッダ及び移送パケットを含む。ソースパケットは、そこにアクセスするためのアドレスとして働く、一般に順次に割り当てられた番号としてのソースパケット番号を含む。移送パケットは、パケット識別子（ＰＩＤ）を含む。ＰＩＤは、移送パケットが属する移送パケットのシーケンスを識別する。このようなシーケンスにおいて、各移送パケットは同じＰＩＤを有する。
【００２０】
ＣＬＩＰＩＮＦディレクトリは、各Ａ／Ｖストリームファイルと連関するクリップ情報ファイルを含む。クリップ情報ファイルは、とりわけ、これと連関するＡ／Ｖストリームの型、シーケンス情報、プログラム情報及びタイミング情報を示す。シーケンス情報は、ＡＴＣ（ａｒｒｉｖａｌ ｔｉｍｅ ｂａｓｉｓ）及びＳＴＣ（ｓｙｓｔｅｍ ｔｉｍｅ ｂａｓｉｓ）シーケンスを記述する。例えば、シーケンス情報は、とりわけ、シーケンスの番号、各シーケンスについての開始及び終了時間情報、各シーケンス内のファイルソースパケットのアドレス、及び各シーケンス内の移送パケットのＰＩＤを示す。プログラムのコンテンツが一定しているソースパケットのシーケンスは、プログラムシーケンスと呼ばれる。プログラム情報は、とりわけ、プログラムシーケンスの番号、各プログラムシーケンスについての開始アドレス、及びプログラムシーケンス内の移送パケットのＰＩＤを示す。
【００２１】
タイミング情報は、ＣＰＩ（ｃｈａｒａｃｔｅｒｉｓｔｉｃ ｐｏｉｎｔ ｉｎｆｏｒｍａｔｉｏｎ）と呼ばれる。ＣＰＩは、例えば、ＥＰ（ｅｎｔｒｙ ｐｏｉｎｔ）マップである。ＥＰマップは、（例えば、ＡＴＣ及び／またはＳＴＣ上の）プレゼンテーションタイムスタンプをソースパケットアドレス（即ち、ソースパケット番号）にマッピングする。ＰＴＳ（ｐｒｅｓｅｎｔａｔｉｏｎ ｔｉｍｅ ｓｔａｍｐ）及びＳＰＮ（ｓｏｕｒｃｅ ｐａｃｋｅｔ ｎｕｍｂｅｒ）は、ＡＶストリーム内のエントリポイント、すなわち、ＡＶストリーム上のエントリポイントについてのＰＴＳ及びこれと関連するＳＰＮと関連する。ポイントされたパケットは、しばしばエントリポイントパケットと呼ばれる。
【００２２】
再生一覧ディレクトリは、１以上の再生一覧ファイルを含む。再生一覧の概念は、再生のための容易な編集／アセンブリクリップに一助となるために導入される。再生一覧ファイルは、クリップ内の再生間隔の集合体である。各再生間隔は、再生アイテムとして呼ばれる。再生一覧ファイルは、とりわけ、再生一覧を形成する各再生アイテムを識別し、各再生アイテムは、とりわけ、クリップファイルの時間軸上の位置をポイントするＩＮ−ポイント及びＯＵＴ−ポイントの対（例えば、ＡＴＣ及びＳＴＣベースでのプレゼンテーションタイムスタンプ）である。再生一覧ファイルはまた、クリップファイルの時間軸上における位置をポイントするＩＮ−ポイント及びＯＵＴ−ポイントの対を提供するサブ再生アイテムを含む。換言すれば、再生一覧ファイルは再生アイテム及びサブ再生アイテムを識別し、各再生アイテムまたはサブ再生アイテムはクリップファイルまたはその一部をポイントし、クリップファイルと連関するクリップ情報ファイルを識別する。クリップ情報ファイルは、とりわけ、ソースパケットのクリップ情報に再生アイテムをマッピングするのに用いられる。再生一覧は、クリップファイル内の特定の場所（例えば、特定のアドレス）にポイントする再生一覧マークをも含む。
【００２３】
通常の情報ファイル（図示せず）は、光ディスク上に記録されたＡ／Ｖストリームの再生をマネジメントするための通常の情報を提供する。
【００２４】
図１は、本発明の一実施の形態に係る記録媒体のデータ構造を例示すると共に、記録媒体のエリアを示す。例えば、通常の情報ファイルは、１または複数の通常の情報エリアに記録され、再生一覧ディレクトリは、１または複数の再生一覧ディレクトリエリアに記録され、再生一覧ディレクトリ内の各再生一覧は、記録媒体の１または複数の再生一覧エリアに記録される。図２は、図１のデータ構造が格納された記録媒体の一例を示す。図２に示すように、記録媒体は、ファイルシステム情報エリア、データベースエリア及びＡ／Ｖストリームエリアを含む。データベースエリアは、通常の情報ファイル及び再生一覧情報エリアとクリップ情報エリアを含む。通常の情報ファイル及び再生一覧情報エリアは、その通常の情報ファイルエリアに記録された通常の情報ファイルと、再生一覧情報エリアに記録された再生一覧ファイル及び再生一覧ディレクトリを備える。クリップ情報エリアは、ＣＬＩＰＩＮＦＯディレクトリ、及びここに記録された有関クリップ情報ファイルを備える。Ａ／Ｖストリームエリアは、ここに記録されたいくつかのタイトルについてのＡ／Ｖストリームを備える。
【００２５】
ビデオ及びオーディオデータは、個別タイトルとして典型的に組織化され、例えば、ビデオ及びオーディオデータにより表される他の映画は、他のタイトルとして組織化される。さらに、タイトルは、一冊の本がしばしば章分けされる方式とほぼ同様に、個別の章に分けられる。
【００２６】
ＢＤ−ＲＯＭ及びＢＤ−ＲＥ光ディスクなど一層新規な高密度の記録媒体の大容量の記憶能力のために、他のタイトル、タイトルの各種のバージョンまたはタイトルの一部が記録可能となり、これにより、記録媒体から再生可能となる。例えば、異なるカメラアングルを有するビデオデータは、記録媒体上に記録可能である。他の例を挙げると、タイトルのバージョンまたは他の言語と連関するタイトルの一部が記録媒体上に記録可能である。さらに他の例を挙げると、ディレクターのバージョン及びタイトルの芝居バージョンが記録媒体上に記録される。または、タイトルまたはタイトルの一部のアダルトバージョン、ヤングアダルトバージョン及びヤングチャイルドバージョン（すなわち、相異なるペアレンタル制御バージョン）が記録媒体上に記録される。各バージョン、カメラアングルなどは相異なる再生パスを示し、これらの場合におけるビデオデータは、多数の再生パスのビデオデータと呼ばれる。
【００２７】
ＢＤ−ＲＯＭなど一層新規な高密度の記録媒体の大容量の記憶能力のために、静止画像または画像は、例えばスライドショーとして組織化され、及び／またはユーザ対話型に記録及び再生される。本発明の実施の形態に係る高密度記録媒体についての静止画像の再生をマネジメントするためのデータ構造は、静止画像を記録及び再生するための本発明の実施の形態に係る方法及び装置と結び付けて説明される。
【００２８】
図３は、本発明に係る高密度記録媒体についての静止画像をマネジメントする方法及びデータ構造の一実施の形態を示すものである。複数の静止画像または画像はＢＤ−ＲＯＭなどの高密度記録媒体上の個別の静止画像ファイルに格納され、再生一覧は、静止画像の再生制御のためのナビゲーション情報を含む。
【００２９】
再生一覧のナビゲーション情報は、クリップＡ／Ｖストリームの特定のエリア内に記録された映画・ビデオまたはオーディオデータとも関連する。再生一覧は、映画・ビデオまたはオーディオデータ内のどのポイントが静止画像を再生するかを示す。すなわち、再生一覧は、クリップＡ／Ｖストリームを静止画像ファイルにリンクさせる。再生一覧はまた、各静止画像を表示するための持続時間を提供するか、あるいは、これらの情報はクリップ情報ファイルにより提供される。持続時間は有限であっても、無限であっても良い。
【００３０】
再生一覧の再生に基づき、映画ビデオまたはオーディオデータの再生中に、映画ビデオまたはオーディオデータと静止画像とが関連することを再生装置が見出したとき、再生装置は、静止画像ファイルから静止画像を得る。その後、再生装置は、限られた持続時間中に静止画像を表示する静止動作を行うか、または、静止画像についてのプレゼンテーションの持続時間情報を限りなく参照する。無限持続時間が示されているとき、静止画像はユーザ入力が受け取られるまで表示される。
【００３１】
上述及び後述する説明から明らかになるように、静止画像は、順次的なスライドショー、ランダムな／シャッフルするスライドショーまたはブラウジング可能なスライドショーとして表示される。順次的なスライドショーは、再生一覧により開始された手順における限られた持続時間を有する静止画像の再生と関連する。静止画像のこのような再生は、オーディオデータとの同期再生においても行われうる。ブラウジング可能なスライドショーは、再生一覧により開始された手順における無限持続時間を有する静止画像の再生と関連する。再生は、ユーザ入力に基づいて以前または順次的な静止画像に進む。ランダムな／シャッフルするスライドショーは、静止画像を再生するための手順がランダムになっている順次的なまたはブラウジング可能なスライドショーの形を取る。
【００３２】
図４は、静止画像ファイルの一例を示している。この例において、静止画像または静止画像グループは、プレゼンテーションユニットを形成する。プレゼンテーションユニットは、例えば、共通するプレゼンテーション属性を有する静止画像として形成される。例えば、図４において、同じプレゼンテーション持続時間（持続時間＃１）を有する静止画像＃１〜＃ｋはプレゼンテーションユニット＃１にグループ分けされ、同じプレゼンテーション持続時間（持続時間＃２）を有する静止画像＃ｋ＋１〜＃ｎはプレゼンテーションユニット＃２にグループ分けされる。持続時間がプレゼンテーション属性の例として与えられるとしても、本発明がこのような例に何ら制限されないということを理解すべきである。
【００３３】
図５は、本発明の一実施の形態に係る再生一覧と少なくとも一つのクリップファイルとの間の関係例を示している。図５に示すように、再生一覧は、第１及び第２のプレゼンテーションユニット（例えば、図４に示す第１及び第２のプレゼンテーションユニット）の再生制御用ナビゲーション情報を含む。再生一覧に含まれている再生アイテムは、静止画像ストリームと、グラフィック＆サブタイトルストリームなどの有関データの再生制御のために用いられる。再生一覧に含まれるサブ再生アイテムは、静止画像と連関するオーディオデータの再生制御のための用いられる。図示の如く、オーディオデータは静止画像及び有関データから個別ファイルとして記録され、これにより、有関データに含まれることはない。オーディオデータは、関連する静止画像との同期または非同期方式で再生される。
【００３４】
再生一覧は、それぞれのプレゼンテーションユニットについての、以下ではスチールグループマークＳＰＧ＿ｍａｒｋと呼ばれる再生一覧マークを含む。静止画像グループマークＳＰＧ＿ｍａｒｋは、１または複数の静止画像を含むプレゼンテーションユニットの開始にポイントされる。
【００３５】
静止画像ストリーム及び有関データストリーム（例えば、グラフィック＆サブタイトルストリーム）は、静止画像を基にＰＥＳ（ｐａｃｋｅｔｉｚｅｄ ｅｌｅｍｅｎｔａｒｙ ｓｔｒｅａｍ）パケットにパケット化される。すなわち、静止画像ストリームの各ＰＥＳパケットは、単一の静止画像を含む。ＰＥＳパケットはＭＰＥＧ２移送パケットにエンコードされ、その後、移送ストリームに多重化される。これは、図６及び図７の実施の形態に基づいて詳述される。
【００３６】
静止画像、及び静止画像と連関するグラフィック＆サブタイトルのリンクされた再生のためのナビゲーション情報は、静止画像及び連関するグラフィック＆サブタイトルデータのＰＥＳパケットに記録される。図５に示すように、静止画像の画像番号に対応する独自の画像ＩＤは、静止画像のＰＥＳパケット及び連関するグラフィック＆サブタイトルのＰＥＳパケットに含まれる。
【００３７】
再生装置は、再生一覧に含まれている静止画像グループマークＳＰＧ＿ｍａｒｋを用いてグループ分けされたプレゼンテーションユニットの静止画像の再生制御を効率的に行う。また、再生装置は、静止画像、及びこれと連関するグラフィック＆サブタイトルのリンクされた再生を静止画像の独自の画像ＩＤを検出することにより行う。静止画像及び有関データの再生中に、再生装置は、サブ再生アイテムにより示されたオーディオストリームをさらに再生する。
【００３８】
図６及び図７は、図５に基づいて上述したもののようなＢＤ−ＲＯＭなどの高密度記録媒体の静止画像をマネジメントする方法及びデータ構造の一実施の形態を示している。図６及び図７の実施の形態においてはプレゼンテーションユニットを含まないという点が、図５のものと大きく異なる。
【００３９】
図６に示すように、静止画像ストリーム及び有関データストリーム（例えば、グラフィック＆サブタイトルストリーム）は、静止画像を基にＰＥＳパケットにパケット化される。すなわち、静止画像ストリームの各ＰＥＳパケットは単一の静止画像を含み、有関データの連関するＰＥＳパケットは、静止画像と連関する有関データ（例えば、連関する静止画像と同期化した再生のための）を含む。同期化して再生される有関データと共に、静止画像は静止画像ユニットにグループ分けされる。静止画像ユニットを基に、静止画像ストリーム及び有関データストリームは、ＭＰＥＧ２移送ストリームの静止画像ファイルに多重化される。
【００４０】
図６は、静止画像ファイルに対応するクリップ情報ファイルをさらに示している。クリップ情報ファイルは、エントリポイントマップＥＰ＿ＭＡＰを含む。ＥＰマップにおいて、個別エントリポイントＥＰ＃１〜＃ｋは対応する静止画像ユニットのヘッド記録位置にアクセスするためのそれぞれのナビゲーション情報を含む。ナビゲーション情報は、例えば、対応する静止画像ユニットの開始記録位置を示すソースパケット番号エントリポイント開始ＳＰＮ＿ＥＰ＿Ｓｔａｒｔ情報を含む。
【００４１】
図７は、図６について上述した静止画像ファイルの再生制御用再生一覧を示している。図７に示すように、再生一覧内の再生アイテムＰｌａｙＩｔｅｍは、再生するための静止画像ファイル内の静止画像の開始及び終了位置にそれぞれ対応するイン画像ＩＮ＿ｐｉｃｔｕｒｅ情報及びアウト画像ＯＵＴ＿ｐｉｃｔｕｒｅ情報を含む。再生一覧内のサブ再生アイテムＳｕｂＰｌａｙＩｔｅｍは、静止画像ファイルと関連して再生される個別オーディオファイルのためのサブ再生アイテムインタイムＳｕｂＰｌａｙＩｔｅｍ＿ＩＮ＿ｔｉｍｅ情報及びサブ再生アイテムアウトタイムＳｕｂＰｌａｙＩｔｅｍ＿ＯＵＴ＿ｔｉｍｅ情報を含む。オーディオデータは、連関する静止画像と同期または非同期された状態で再生することができる。
【００４２】
再生一覧は、各静止画像をポイントする、以下では静止マークとして呼ばれる再生一覧マークをさらに含む。静止画像ユニットに含まれる静止画像及び有関データについてのプレゼンテーション持続時間情報は、静止画像ユニットに対応する静止マークに記録される。代案としてまたは付加的に、プレゼンテーション持続時間情報は、再生アイテム内に含まれることができる。
【００４３】
静止マークは、ブラウジング可能なスライドショー中に画像間のスキップを行いたいときに特に役立つ。静止画像ファイルまたはその一部が相異なるプレゼンテーション持続時間を有する多数の再生一覧と同時に関連する場合があるということをさらに理解すべきである。
【００４４】
図８は、例えば、光ディスク上におけるＭＰＥＧ２移送ストリームの物理的な割当てを示している。図８に示すように、静止画像ユニットに対応するＭＰＥＧ２移送ストリームの一部のそれぞれは、光ディスクのエラー訂正コード（ｅｒｒｏｒ ｃｏｒｒｅｃｔｉｏｎ ｃｏｄｅ；ＥＣＣ）ブロックＥＣＣｂｌｏｃｋまたはセクションユニットなどの物理記録ユニットに整列されて記録される。例えば、第２の静止画像ユニットに対応する移送ストリームの記録サイズが物理記録ユニットを充填していない場合には、未充填エリアはヌルデータにより充填されあるいは詰められる。
【００４５】
図９は、本発明が適用される光ディスク装置の部分構造の概略を示している。図９に示すように、光ディスク装置は、光ディスクからデータを再生するための光ピックアップ１１１を含む。ＶＤＰ（ｖｉｄｅｏ ｄｉｓｃ ｐｌａｙ）システム１１２は光ピックアップ１１１の再生動作を制御し、光ピックアップ１１１により再生されたデータを復調する。ＶＤＰ１１２は、ＡＶストリームのアナログバージョンを生成するために、Ｄ／Ａコンバータ１３にも与えられるＡＶストリームを生成する。
【００４６】
ＶＤＰシステム１１２は光ピックアップ１１１を制御し、ユーザインタフェースから受信されたユーザ入力に基づく再生データと、本発明により光ディスク上に記録されたナビゲーション及びマネジメント情報を復調する。例えば、ＶＤＰシステム１１２は、静止画像ファイルを再生するために、上述したクリップ情報ファイルに含まれているエントリポイントマップ及び再生一覧に含まれている静止マークを参照する。すなわち、ＶＤＰシステム１１２は、静止画像、グラフィックデータ、及びエントリポイントマップに記録されたエントリポイントＥＰ＃１，＃２，．．．の手順による各静止画像ユニットのサブタイトルデータを読み取る。その後、ＶＤＰシステム１１２は、スライドショーを再生するための一連の動作を行い、これは、静止マークに含まれているプレゼンテーション持続時間情報による固定持続時間中に再生されるか、あるいは、ユーザのキー入力による静止マークのそれぞれに対応する静止画像ユニットの単位にてスキップ再生される。
【００４７】
図１０に示すように、ＶＤＰシステム１１２は、スイッチ１２０、トラックバッファ１２１、ＴＳ ＤＥＭＵＸ１２２、ビデオバッファ１２３、グラフィックバッファ１２４、サブタイトルバッファ１２５、オーディオバッファ１２６、ビデオデコーダ１２７、グラフィックデコーダ１２８、サブタイトルデコーダ１２９、オーディオデコーダ１３０、ＰＣＲカウンタ１３１、及びマイコン１３２を含む。
【００４８】
マイコン１３２は、ユーザのキー入力またはプレゼンテーション持続時間情報に基づいてスイッチ１２０の動作を制御し、静止画像Ｖ、グラフィックデータＧ、及びサブタイトルデータＳＴをトラックバッファ１２１から選択的に供給する。ＴＳ ＤＥＭＵＸ１２２は、トラックバッファに一時保存されたデータストリームのパケットＩＤＰＩＤを参照し、静止画像データ、グラフィックデータ、及びサブタイトルデータをビデオバッファ１２３、グラフィックバッファ１２４、及びサブタイトルバッファ１２５にそれぞれ振り分ける。
【００４９】
ビデオデコーダ１２７は静止画像データを、グラフィックデコーダ１２８はグラフィックデータを、そしてサブタイトルデコーダ１２９はサブタイトルデータをデコードする。その結果、単一の静止画像と有関グラフィック及びサブタイトルデータが再生される。
【００５０】
これと同様に、マイコン１３２はスイッチ１２０の動作を制御し、光ディスクから読み取られたオーディオデータＡをトラックバッファ１２１に選択的に供給する。ＴＳ ＤＥＭＵＸ１２２は、トラックバッファに一時保存されたオーディオデータストリームのパケットＩＤＰＩＤを参照してオーディオデータをオーディオバッファ１２６に分離する。
【００５１】
オーディオデコーダ１３０は、オーディオデータをデコードしてデコードされたオーディオデータを出力する。このようなステージにおいて、ＴＳ ＤＥＭＵＸ１２１により分離されたプレゼンテーションタイムスタンプＰＴＳ情報はオーディオデコーダ１３０に供給される。また、ＰＣＲカウンタ１３１は、ＴＳ ＤＥＭＵＸ１２１から分離されたプログラムクロック基準（ＰＣＲ）情報をカウントし、ＰＣＲカウント値はオーディオデコーダ１３０に供給される。ＰＴＳ及びＰＣＲの使用がこの技術分野において既に公知であるため、以下では、光ディスク上に記録されたデータに含まれる事項についての詳細は省略する。
【００５２】
オーディオデコーダ１３０は、ＰＣＲカウント値がＰＴＳ値と一致するときにオーディオデータを再生する。ＰＣＲカウント値及びＰＴＳ値はオーディオデコーダ１３０にのみ供給されてオーディオの再生時間を制御する。
【００５３】
これにより、光ディスク装置は、スイッチ１２０、トラックバッファ１２１、及びＴＳ ＤＥＭＵＸ１２２を共通的に用いることにより、互いに連関する読取り専用ブルーレイディスクに分離されて記録された静止画像ファイル及びオーディオファイルを再生するスライドショー動作を正常に行うことができる。
【００５４】
図１１は、ＶＤＰシステム１１２の他の実施の形態の詳細を示している。この実施の形態は、ＰＴＳ加算器１３３及びこれとの連関接続をさらに含むことを除いては、図１０の実施の形態と同じである。上述したように、マイコン１３２は、ユーザのキー入力またはプレゼンテーション持続時間情報に基づいてトラックバッファ１２１及びスイッチ１２０の動作を制御する。このような同じ情報は、ＰＴＳ加算器１３３の制御に用いられる。
【００５５】
ＰＴＳ加算器１３３は、トラックバッファに一時保存されたオーディオデータのＰＴＳを参照し、オーディオＰＴＳと同じ擬似ＰＴＳを静止画像データ、グラフィックデータ及びサブタイトルデータのＰＥＳパケットとしてさらに記録する。
【００５６】
ＴＳ ＤＥＭＵＸ１２１から分離されたオーディオＰＴＳはオーディオデコーダ１３０にルートされ、前記ＴＳ ＤＥＭＵＸ１２１から分離されたプログラムクロック基準（ＰＣＲ）情報は前記ＰＣＲカウンタ１３１によりカウントされる。ＰＣＲカウント値はオーディオデコーダ１３０に供給され、オーディオデコーダ１３０は、ＰＣＲカウント値がＰＴＳと一致するときにオーディオデータを再生する。
【００５７】
ＴＳ ＤＥＭＵＸ１２１により分離された擬似ＰＴＳ及びＰＣＲカウント値は、ビデオデコーダ１２７、グラフィックデコーダ１２８、及びサブタイトルデコーダ１２９にさらに振り分けられる。ＰＣＲカウント値が擬似ＰＴＳと一致するとき、静止画像データ、グラフィックデータ、及びサブタイトルデータはそれぞれ再生される。
【００５８】
これにより、光ディスク装置は、スイッチ１２０、トラックバッファ１２１、及びＴＳ ＤＥＭＵＸ１２２を共通に用いることにより、互いに連関する読取り専用ブルーレイディスクに分離されて記録された静止画像ファイル及びオーディオファイルを再生するスライドショー動作を正常に行うことができる。
【００５９】
図１２は、図１のデータ構造の一部と、高密度記録媒体についての静止画像をマネジメントする方法についての他の実施の形態の詳細を示している。この実施の形態において、静止画像は、再生一覧内の再生一覧マーク情報に基づいてマネジメントされる。本発明の他の実施の形態について説明したが、再生一覧マークの使用は、この実施の形態及び残りの実施の形態においてさらに発展するであろう。
【００６０】
上述したように、且つ、図１２に示すように、再生一覧マークは、Ａ／Ｖストリームクリップファイルにおいて静止画像をポイントするのに用いられる。このような型の再生一覧マークは、以下では静止マークと呼ばれる。通常、静止画像または画像は、他の画像に従属せずに再生される。例えば、静止画像は、ＭＰＥＧ２ストリームの場合に”Ｉ−Ｐｉｃｔｕｒｅ”としてエンコードされる。これにより、静止マークは、Ａ／ＶストリームクリップファイルにおいてＩ画像をポイントする。しかし、静止マークは各Ｉ画像の全てをポイントする上で必ずしも必要なものであるとは限らない。
【００６１】
図１２は、再生一覧における２つの再生アイテムＰｌａｙＩｔｅｍ＃１及びＰｌａｙＩｔｅｍ＃２を示している。各再生アイテムは、クリップからの再生間隔に関するナビゲーション情報（ＩＮ−ｔｉｍｅ及びＯＵＴ−ｔｉｍｅ情報）を提供する。すなわち、第１の再生アイテムＰｌａｙＩｔｅｍ＃１は、第１のクリップにおいて第１のＡＶストリームＡＶ ｓｔｒｅａｍ ＃１を再生するために提供され、且つ、連関するクリップ情報ファイルＣｌｉｐ Ｉｎｆｏ ＃１も含む。第２の再生アイテムＰｌａｙＩｔｅｍ＃２は、第２のクリップにおいて第２のＡＶストリームＡＶ ｓｔｒｅａｍ ＃２を再生するために提供され、且つ、連関するクリップ情報ファイルＣｌｉｐ Ｉｎｆｏ ＃２も含む。再生一覧は、３つの静止マークについての再生一覧マーク情報を含む。静止マークのうち２つは、２つの静止マークが第１の再生アイテムと連関する同じクリップ内の２つの静止画像をポイントする点で、第１の再生アイテムと関連する。他の静止マークは、このような静止マークが第２の再生アイテムと連関する同じクリップ内の静止画像をポイントする点で、第２の再生アイテムと関連する。
【００６２】
図１３は、本発明の一実施の形態に係る再生一覧ファイル構造の一部の例を示している。特に、図１３は、再生一覧ファイル内の再生一覧マーク情報フィールドの構造を示している。
【００６３】
図１３に示すように、再生一覧ファイルＰｌａｙＬｉｓｔ ｆｉｌｅ（＊．ｍｐｌｓ）１０は、他のフィールドのうち、再生一覧情報フィールド２１１及び再生一覧マーク情報フィールド２１２を含む。再生一覧ファイルは、再生一覧情報フィールド２１１及び再生一覧マーク情報フィールド２１２のアドレスをそれぞれ提供するアドレスＰｌａｙＬｉｓｔ＿ｓｔａｒｔ＿ａｄｄｒｅｓｓ及びＰｌａｔＬｉｓｔＭａｒｋ＿ｓｔａｒｔ＿ａｄｄｒｅｓｓをも含む。再生一覧情報フィールド２１１は、再生一覧の再生アイテム及びサブ再生アイテムを定義する。
【００６４】
再生一覧マーク情報フィールド２１２は、情報フィールドのバイトサイズを示す長さ情報”長さ（ｌｅｎｇｈ）”を含み、再生一覧マーク情報フィールド２１２に存在するマーク数を示す情報”ｎｕｍｂｅｒ＿ｏｆ＿ＰｌａｙＬｉｓｔ＿ｍａｒｋｓ”を含む。各マークにおいて、再生一覧マーク情報フィールド２１２は、マークの型を示すマーク型情報”ｍａｒｋ＿ｔｙｐｅ”、マークが関連する再生アイテムを示す再生アイテム基準”ｒｅｆ＿ｔｏ＿ＰｌａｙＩｔｅｍ＿ｉｄ”、及び対応する再生アイテム内の特定の再生時間を示すタイムスタンプ情報”ｍａｒｋ＿ｔｉｍｅｓ＿ｓｔａｍｐ”を提供して、マークがポイントする対応するＡＶストリームを提供する。
【００６５】
マーク型インジケータ”ｍａｒｋ＿ｔｙｐｅ”を参照すれば、少なくとも一つのマーク型は、静止マーク型である。静止マーク型は、マークが静止画像をポイントするのに用いられる型であることを示す。上述及び後述するように、このような型のマークは、スキップについてのポイントを静止画像のスライドショーを表示するときに提供する。結果的に、このような型のマークは、”Ｓｋｉｐ−Ｐｏｉｎｔ”マークとも呼ばれる。
【００６６】
以下、静止画像を再生する２つの場合について説明する。第１の場合において、静止画像は、映画ＡＶストリームを再生するときにスキップ動作の一部として再生され、第２の場合において、静止画像ＡＶストリームからの静止画像は、スライドショーを提供するために再生される。
【００６７】
図１４は、映画ＡＶストリームを再生するとき、スキップ動作中に静止画像の再生をマネジメントするためのデータ構造の例を示している。図１４に示すように、再生一覧は、２つの再生アイテムＰｌａｙＩｔｅｍ＃３及びＰｌａｙＩｔｅｍ＃４と、６つの静止マークについての再生一覧マーク情報を含む。再生一覧が再生されるとき、第３のＡＶストリームＡＶ ｓｔｒｅａｍ ＃３は、ＰｌａｙＩｔｅｍ＃３により提供されたナビゲーション情報に基づいて最初に再生される。
【００６８】
動画像データのこのような通常の再生は、”Ｍｏｖｉｅ”状態と呼ばれる。これにより、ユーザまたはシステムがスキップコマンドを書き込むとき、再生一覧は”Ｍｏｖｉｅ”の状態で連続的に再生される。スキップコマンドが受信されるとき、ステータスは、”Ｍｏｖｉｅ”の状態から”Ｓｔｉｌｌ”の状態に切り換えられる。”Ｓｔｉｌｌ”の状態において、スキップコマンドの受信に続くＡＶストリーム内の第１の静止画像は再生される。例えば、図１４に示すように、スキップコマンドが第１の静止マーク”ｓｔｉｌｌ−ｍａｒｋ１”と第２の静止マーク”ｓｔｉｌｌ−ｍａｒｋ２”との間の時点にて発生すれば、第２の静止マークと連関する静止画像は再生される。静止画像は、限られた持続時間または無限な持続時間中に再生される。これは、付加フィールドを加算することにより、あるいは、持続時間とマーク型との間の所定の関係により、静止マークについての静止マーク情報中で示される。
【００６９】
限られた持続時間が与えられるとき、表示周期の満了は、再生される次の静止マークにより示される静止画像をもたらす。無限の持続時間が与えられるとき、次または以前の静止マークにより現れる次の静止画像または以前の静止画像は、ユーザが、例えば、ｓｋｉｐ−ｔｏ−ｎｅｘｔまたはｓｋｉｐ−ｔｏ−ｐｒｅｖｉｏｕｓのキーボタンコマンドによる入力時に再生される。今後、”Ｓｔｉｌｌ”動作はこのような方式で続く。
【００７０】
再生の状態は、通常の再生コマンドがユーザまたはシステムから受信されるときに”Ｓｔｉｌｌ”の状態からさらに”Ｍｏｖｉｅ”の状態に切り換えられる。
【００７１】
図１５Ａ、図１５Ｂ及び図１６は、スライドショー用静止画像の再生をマネジメントするためのデータ構造の例を示している。スライドショーにおいて、静止画像は、場合によっては、サブタイトル及びグラフィック情報などの有関データと一緒に１または複数のクリップから再生される。ここで、クリップは映画データを含んでいない。さらに、オーディオデータは、静止画像の再生と同期または非同期で再生することもできる。オーディオデータの同期再生において、オーディオデータは、静止画像を有するクリップに格納されることができる。オーディオデータの非同期再生において、オーディオデータは、静止画像を有するクリップから分離されたクリップから再生される。
【００７２】
上述したように、スライドショーには３通りがある。時間ベースのスライドショーは、静止画像が再生時間を参考として自動的で且つ連続的に再生されるスライドショーである。ブラウジング可能なスライドショーは、静止画面（例えば、静止画像と、場合によっては、サブタイトル及びグラフィック情報などの有関データ）が、ユーザ入力が以前または次の静止画像に進んでいることを受信するまで再生されるスライドショーである。ブラウジング可能なスライドショーは、通常”メニュー”スクリーンが構成されるときに使用される。ユーザが”メニュー”の特定のアイテムを選択するまで、メニュー選択スクリーン（すなわち、静止画面）は連続的に再生される。一般に、オーディオデータは、背景音として連続的に再生される。これにより、ブラウジング可能なスライドショーにおいて、オーディオデータは、静止画面との同期から個別的に再生される。時間ベース及びブラウジング可能なスライドショーの詳細は、図６Ａ、図６Ｂ及び図７に基づいて後述する。
【００７３】
図１５Ａ及び図１５Ｂは、時間ベースのスライドショーの例を示している。図１５Ａ及び図１５Ｂにおいて、時間基盤のスライドショー用クリップは、映画データクリップから分離されて提供される。図１５Ａは、スライドショー用ＡＶストリームファイルが静止画像及び連関するデータ（例えば、オーディオ、サブタイトル、グラフィックなど）を含む例を示している。図１５Ｂは、スライドショー用ＡＶストリームファイルが単に静止画像のみを含む例を示している。
【００７４】
さらに図１５Ａを参照すれば、再生一覧は、一つの再生アイテムＰｌａｙＩｔｅｍ＃５と、複数の静止マーク用再生一覧マーク情報とを含む。静止マークは、クリップ内の各静止画像をポイントする。ＰｌａｙＩｔｅｍ＃５によりマネジメントされるクリップは、時間基盤のスライドショーを含む第５のＡＶストリームＡＶ ｓｔｒｅａｍ ＃５を示すクリップ情報ファイルＣｌｉｐ Ｉｎｆｏ ＃５を含む。第５のＡＶストリームＡＶ ｓｔｒｅａｍ ＃５は、静止画像と、各静止画像と連関する他のデータと、を含む。この例において、他のデータは、オーディオ、サブタイトル及びグラフィックデータを含む。静止画像及びこれと連関する他のデータは、１枚の静止画面を構成する。
【００７５】
時間基盤のスライドショーにおいて、静止画面は、再生一覧が再生されるときに、連関する静止マークにより表示された時間中に自動的且つ連続的に再生される。
【００７６】
図１５Ｂは、時間基盤のスライドショー用ＡＶストリームが静止画像のみを含むことを示している。他のデータを含んでいないことを除いては、図１５Ｂの実施の形態は図１５Ａの実施の形態とほとんど同様であるため、これについての詳細は、簡略化のために省略される。
【００７７】
図１６は、ブラウジング可能なスライドショーの例を示している。図１６に示すように、再生一覧は、再生アイテムＰｌａｙＩｔｅｍ＃７により表されるＣｌｉｐ＃７の再生と共に、サブ再生アイテムＳｕｂＰｌａｙＩｔｅｍ＃８により表されるＣｌｉｐ＃８の再生を提供する。再生アイテムＰｌａｙＩｔｅｍ＃７は、クリップ情報ファイルＣｌｉｐ Ｉｎｆｏ ＃７及び第７のＡＶストリームＡＶ ｓｔｒｅａｍ ＃７を含むＣｌｉｐ＃７からデータを再生するためのナビゲーション情報（例えば、Ｉｎ−ｔｉｍｅ及びＯｕｔ−ｔｉｍｅ）を提供する。クリップ情報ファイルＣｌｉｐ Ｉｎｆｏ ＃７は、連関する第７のＡＶストリームＡＶ ｓｔｒｅａｍ ＃７がブラウジング可能なスライドショー用データを含むことを示す。
【００７８】
第７のＡＶストリームＡＶ ｓｔｒｅａｍ ＃７は、３枚の静止画像と、各静止画像と連関する有関データ（例えば、サブタイトル及びグラフィック情報）とを含む。上述したように、静止画像と連関するサブタイトル及びグラフィック情報は、静止画像ユニットまたはブラウジングユニットと呼ばれる１枚の静止画面を構成する。このため、第７のＡＶストリームＡＶ ｓｔｒｅａｍ ＃７は、３つのブラウジングユニットを含む。
【００７９】
サブ再生アイテムＳｕｂＰｌａｙＩｔｅｍ＃８は、クリップ情報ファイルＣｌｉｐ Ｉｎｆｏ ＃８及び第８のＡＶストリームＡＶ ｓｔｒｅａｍ ＃８を含むＣｌｉｐ＃８からデータを再生するためのナビゲーション情報（例えば、Ｉｎ−ｔｉｍｅ及びＯｕｔ−ｔｉｍｅ）を提供する。クリップ情報ファイルＣｌｉｐ Ｉｎｆｏ ＃８は、連関する第８のＡＶストリームＡＶ ｓｔｒｅａｍ ＃８がブラウジング可能なスライドショー用オーディオデータを含み、第８のＡＶストリームＡＶ ｓｔｒｅａｍ ＃８がオーディオデータを含むことを示す。
【００８０】
再生に際し、ブラウジング可能なスライドショーは、第８のＡＶストリームＡＶ ｓｔｒｅａｍ ＃８内の第１の静止マーク及びオーディオデータにより特定されたブラウジングユニット１の再生を開始する。追加動作は、ユーザとの相互作用によって決められる。ユーザが次または以前の静止画像への移動を選択しない場合、第１の静止画面（”ブラウジングユニット”）は、連続的に再生される。これに対し、スキップ後コマンドが入力されると、第２の静止マークにより特定された第２の静止画面（第２のブラウジングユニット）の再生が始まる。このような動作はオーディオデータの再生に影響せず、ユーザがブラウジング可能なスライドショーを選択するまで独立的且つ連続的に再生される。ユーザは、次または以前のブラウジングユニットの再生が行われたかどうかと、例えば、ｓｋｉｐ−ｔｏ−ｎｅｘｔまたはｓｋｉｐ−ｔｏ−ｐｒｅｖｉｏｕｓコマンドのキーボタン入力をいつ行うかを制御する。
【００８１】
図１７は、本発明の他の実施の形態に係る光ディスク記録及び再生装置を示している。図１７に示すように、ＡＶエンコーダ１８は、データ（例えば、静止画像データ、オーディオデータなど）を受信してエンコードする。信号プロセッサ１３は、光ディスクのオーディオ／ビデオフォーマットによってエンコードされたデータを変調する。図１７に示すように、ＡＶエンコーダ１８及び信号プロセッサ１３の動作は、制御器１２により制御される。制御器１２は、記録動作に関するユーザ入力を受信し、制御情報をＡＶエンコーダ１８及び信号プロセッサ１３に提供する。制御器１２は、マイコン１６の動作をさらに制御する。マイコン１６は、記録動作中に信号プロセッサ１３から光ピックアップ１１までのデータの出力と光ピックアップ１１についてのサーボ１４を制御することを司る。
【００８２】
制御器１２は、光ディスク上に記録されるデータの再生をマネジメントするためのナビゲーション及びマネジメント情報をも生成する。例えば、ユーザインタフェースを介して受信された情報（例えば、コンピュータシステムによるイントラネットまたはインターネットなどを介して提供される、ディスク上に格納された命令セット）に基づいて、制御器１２は、光ディスク上において本発明の１以上のデータ構造の記録を制御する。
【００８３】
再生中に、制御器１２は、このようなデータ構造の再生を制御する。ここに含まれている情報のみならず、ユーザインタフェースを介して受信されたユーザ入力（例えば、記録及び再生装置上の制御ボタン、またはこの装置と連関するリモート）に基づいて、制御器１２は、光ディスクからデータの再生を制御する。例えば、本発明の実施の形態について上述したように、単一または複数の静止画像は、ナビゲーション情報に基づき、オーディオデータと結び付けられて再生される。さらに、映像または映像グループは、スライドショーまたはスライドショーの一部として再生される。なおかつ、上述したように、スライドショーは、時間ベースのものであってもよく、ブラウジング可能なものなどであっても良い。
【００８４】
信号プロセッサ１３は、再生されたデータを復調する。ＡＶデータは、ＡＶエンコーダ１８に供給される元のデータを生成するために、エンコードされたデータをデコードするＡＶデコーダ１７に送られる。ナビゲーション及びマネジメントデータは、制御器１２に送られる。記録中と再生動作中の両方で、マイコン１６、信号プロセッサ１３及び制御器１２はメモリ１５にデータを格納する。
【００８５】
図１７は記録及び再生装置として解説されているが、記録または再生機能を提供する図１７のこれらの部分を用いて記録装置のみまたは再生装置のみが提供されてもよいことに留意すべきである。
【図面の簡単な説明】
【００８６】
本発明のさらなる理解を提供するために含まれ、本明細書の一部をなして組み合わせられる添付図面は、本発明の原理を説明する役割を果たす記載と共に本発明の実施の形態を例示する。
【００８７】
【図１】本発明に係る記録媒体ファイルまたはデータ構造の例示的な実施の形態を示す図である。
【図２】図１のデータ構造が格納された記録媒体の一例を示す図である。
【図３】図１のデータ構造の一部についての実施の形態の詳細と、高密度の記録媒体についての静止画像をマネジメントする方法とを示す図である。
【図４】静止画像ファイルの一例を示す図である。
【図５】本発明の一実施の形態による再生一覧と少なくとも一つのクリップファイルとの間の関係例を示す図である。
【図６】図１のデータ構造の一部についての実施の形態の詳細と、本発明に係る高密度の記録媒体の静止画像をマネジメントする方法とを示す図である。
【図７】図１のデータ構造の一部についての実施の形態の詳細と、本発明に係る高密度の記録媒体の静止画像をマネジメントする方法とを示す図である。
【図８】高密度の光ディスク記録媒体上の静止画像を含む移送ストリームの物理的な割当てを示す図である。
【図９】本発明が適用される光ディスク装置の部分構造の概略を示す図である。
【図１０】本発明が適用される光ディスク装置の第１の実施の形態の詳細な構造を示す図である。
【図１１】本発明が適用される光ディスク装置の第２の実施の形態の詳細な構造を示す図である。
【図１２】図１のデータ構造の一部についての他の構造詳細と、高密度の記録媒体についての静止画像をマネジメントする方法とを示す図である。
【図１３】本発明の一実施の形態に係る再生一覧ファイル構造の一部についての例を示す図である。
【図１４】映画ＡＶストリームを再生するとき、スキップ動作中に静止画像の再生をマネジメントするためのデータ構造の一例を示す図である。
【図１５Ａ】スライドショー用静止画像の再生をマネジメントするためのデータ構造の例を示す図である。
【図１５Ｂ】スライドショー用静止画像の再生をマネジメントするためのデータ構造の例を示す図である。
【図１６】スライドショー用静止画像の再生をマネジメントするためのデータ構造の例を示す図である。
【図１７】本発明の他の実施の形態に係る光ディスク記録及び再生装置を示す図である。
【図１】
0004563373.tif 000002
【図２】
0004563373.tif 000003
【図３】
0004563373.tif 000004
【図４】
0004563373.tif 000005
【図５】
0004563373.tif 000006
【図６】
0004563373.tif 000007
【図７】
0004563373.tif 000008
【図８】
0004563373.tif 000009
【図９】
0004563373.tif 000010
【図１０】
0004563373.tif 000011
【図１１】
0004563373.tif 000012
【図１２】
0004563373.tif 000013
【図１３】
0004563373.tif 000014
【図１４】
0004563373.tif 000015
【図１５Ａ】
0004563373.tif 000016
【図１５Ｂ】
0004563373.tif 000017
【図１６】
0004563373.tif 000018
【図１７】
0004563373.tif 000019